(57)【要約】【課題】  枚の側部パネルは折畳んだり、分離することが容易で、しかも作業者は立ったままの状態でこの作業を行うことが出来るので作業性に優れており、身体的負担も少ない。また従来技術よりも構造が単純なので製作費を低減することができる。【解決手段】  パレット部１の四隅に立設した支柱４、６に４枚の側部パネル１１、１３、１４が回動自在に軸支してある。開放用側部パネル１１を支持する支柱４には、係止ピンが横方向内向きに突設してある。開放用側部パネル１１は下枠材１１Ａの下面後半を上り傾斜面に形成し、一対の側枠材１１Ｃの下端側前角隅に係止ピンが嵌脱自在な係合部が設けてある。パレット部１には開放用側部パネル１１の傾斜面に当接するストッパーが設けてある。【選択図】  図１
2007099328.tif 000002
【特許請求の範囲】
【請求項１】
平面略四角形のパレット部と、該パレット部の四隅に立設した４本の支柱と、該支柱に軸支することにより回動可能に立設した４枚の側部パネルと、該４枚の側部パネルを係脱可能に枠状に連結する連結手段とからなる折畳み型コンテナであって、前記４枚の側部パネルのうち少なくとも１枚の開放用側部パネルを支持する一対の支柱には、係止ピンを横方向内向きに突設し、前記開放用側部パネルには、下枠材の下面後半を上り傾斜面に形成すると共に、一対の側枠材の下端側前角隅に前記係止ピンが嵌脱自在に嵌合する係合部を設け、前記パレット部の枠材には前記開放用側部パネルの上り傾斜面に当接するストッパーを設けたことを特徴とする折畳み型コンテナ。
【請求項２】
前記係合部は、前記開放用側部パネルを構成する側枠材の下端側前角隅に前面に形成したピン出入溝と、横面に形成したピン係止溝からなる切欠き穴である請求項１記載の折畳み型コンテナ。
【請求項３】
前記４枚の側部パネルは、前記支柱に内方向及び外方向の約１８０度の範囲で回動可能に軸支してあることを特徴とする請求項１記載の折畳み型コンテナ。
【請求項４】
前記４枚の側部パネルは、前記支柱に係脱可能に設けてあることを特徴とする請求項１記載の折畳み型コンテナ。
【発明の詳細な説明】
【技術分野】
【０００１】
本発明は、例えば収穫したジャガイモ、玉ねぎ、人参等の各種の農産物、漁業の分野での採取した貝や海藻、林業の分野での伐採した小枝、製造工場で製造した部品等の、種々の粒状部や塊状物の収納運搬に使用する折畳み型コンテナに関する。
【背景技術】
【０００２】
従来、例えばジャガイモ、玉ねぎ、人参等の各種の農産物を収穫して集荷し、運搬する場合、収納する農産物に応じて業界の仕様でサイズが決められているコンテナを使用している。この種のコンテナとして下記の特許文献１に記載のものがある。該コンテナは、四周に設けた垂直のパネル２、３、４を床５の上部に倒すことができる折畳み式コンテナで、大略以下の構成からなる。前面パネル２は床５の前面両端の支柱６、６に設けられて軸方向に移動可能なピン７、７によって位置決めされて床５に接して組み立てられる。後面パネル３は、床の後面両端の支柱６、６のピン７、７によって位置決めされて床５に接して組み立てられる。左右の側面パネル４、４は前記４本の支柱６、６に溶接手段により固着したピン８、８に回転可能に取り付けられて組み立てられる。
【特許文献１】特許第２９９２２７９号公報
【０００３】
上述した従来技術のコンテナは、４面のパネルを内側に折り畳んだ状態で積重することは可能であるが、４面のパネル２、３、４を外側に略水平状態にまで展開することや、左右の側面パネル４、４を床５から取外して分解することは不可能である。このため、側面パネル４が損傷した場合には支柱６に溶接により固着してあるピン８、８を一度分解した上で損傷した側面パネル４を交換しなければならないという欠点、この作業は収穫現場では不可能で工場で行わなければならないという欠点、全部の側面パネル２、３、４を簡単に分解して洗浄、保守を行うことはできないという欠点がある。更に、コンテナ内に農産物を収納する作業を行う場合、４面の側面パネル２、３、４が所定の高さで起立しているために作業者は収納動作の度毎に無理に腕を伸ばしたり、頻繁に立ち上がらなければならないことから、身体に大きな負担が掛って肩凝りや腰痛の原因になるという欠点がある。
【発明の開示】
【発明が解決しようとする課題】
【０００４】
本発明は、従来技術の諸欠点に鑑みなされたもので、最低１枚の側部パネルはパレット部上に折畳んだり、分離することが容易であり、しかも作業者は立ったままの状態で折畳んだり、分離する作業を行うことが出来るので作業性に優れているし、身体的負担も少なく、また従来技術よりも構造が単純なので製作費を低減することができる折畳み型コンテナを提供することを目的とする。
【課題を解決するための手段】
【０００５】
上述した課題を解決するために構成された本発明の手段は、平面略四角形のパレット部と、該パレット部の四隅に立設した４本の支柱と、該支柱に軸支することにより回動可能に立設した４枚の側部パネルと、該４枚の側部パネルを係脱可能に枠状に連結する連結手段とからなる折畳み型コンテナであって、前記４枚の側部パネルのうち少なくとも１枚の開放用側部パネルを支持する一対の支柱には、係止ピンを横方向内向きに突設し、前記開放用側部パネルには、下枠材の下面後半を上り傾斜面に形成すると共に、一対の側枠材の下端側前角隅に前記係止ピンが嵌脱自在に嵌合する係合部を設け、前記パレット部の枠材には前記開放用側部パネルの傾斜面に当接するストッパーを設けたことにある。
【０００６】
そして、前記係合部は、前記側枠材の下端側前角隅に前面に形成したピン出入溝と、横面に形成したピン係止溝からなる倒置Ｌ字状の切欠き穴にするとよい。
【０００７】
また、前記４枚の側部パネルは、前記支柱に内方向及び外方向の約１８０度の範囲で回動可能に軸支してあるとよい。
【０００８】
更に、前記４枚の側部パネルは、前記支柱に係脱可能に設けるとよい。
【発明の効果】
【０００９】
本発明は以上詳述した如く構成したから、下記の諸効果を奏する。
（１）開放用側部パネルは、係止ピンに係合部を係止することによりパレット部に立設するようにしたから、パレット部から分離したり、折畳むことが容易であるし、立ったままの状態で分離、折畳み作業を行うことが出来るので作業性に優れていると共に、身体的負担もない。
（２）構成に可動部がないし、構成部材も従来技術より少ない単純な構成であるから、故障もないし耐久性に優れており、また製作費の低減を図ることができる。
（３）４面の側部パネルは内、外方向に約１８０度の範囲で回動可能であるから、作業現場の状況に応じて任意の側部パネルを開放することにより、収納作業の能率を向上できる。
（４）４枚の側部パネルは支柱に係脱可能であるから、破損した側部パネルを作業現場でも簡単に交換することができるし、分解して洗浄することも容易である。
【発明を実施するための最良の形態】
【００１０】
以下、本発明の実施の形態を図面に基づき詳述する。図において、１は平面略長方形のパレット部を示す。２は該パレット部１を構成するパレット本体で、該パレット本体２は角形鋼管平鋼材からなる長尺の前枠２Ａと、該前枠２Ａに後述する前側部パネル１１の厚さ分加えた高さの角筒鋼管からなる後枠２Ｂと、前枠２Ａに前側部パネル１１の厚さの略倍の高さの角筒鋼管からなる左右一対の横枠２Ｃ、２Ｃとを横長長方形の枠体に連結し、左右の横枠２Ｃ、２Ｃ間に複数本の平鋼材からなる受け材２Ｄ、２Ｄ、・・・を一定間隔で架設した構成からなっている。
【００１１】
３は前記パレット本体２の下側に一体に設けることによりパレット部１を構成する支持体を示す。該支持体３は長手方向両端を閉塞した角筒鋼管からなり、左右の横枠２Ｃ、２Ｃの下面に固着した一対の外側脚材３Ａ、３Ａと、該外側脚材３Ａと平行にパレット本体２の内側下面に固着した一対の内側脚材３Ｂ、３Ｂと、外側脚部３Ａ、３Ａ及び内側脚材３Ｂ、３に連結した平鋼板からなる前後一対の連結材３Ｃ、３Ｃとから構成してあり、外側脚材３Ａと内側脚材３Ｂとの間の空間Ａ、Ａはフォークリフトによるリフト時にフォークを挿入することができるスペースになっている。
【００１２】
４、４は前述の構成からなるパレット部１の前側両角隅に立設した鋼材からなる一対の前支柱を示す。該各前支柱４は一対の対向片４Ａ、４Ｂと、連結片４Ｃとから横断面略コ字状に形成してあり、開放面を前方に向けた状態で外側脚材３Ａと横枠２Ｃに溶接手段により固着してある。
【００１３】
５、５は前記一対の前支柱４に横向きに設けた係止ピンで、該各係止ピン５は内側対向片４Ａに挿通した状態で基端側は外側対向片４Ｂに固着し、先端側５Ａは内側対向片４Ａから横方向内向きに突出している。
【００１４】
６、６はパレット部１の後側両角隅に立設した一対の後支柱を示す。該各後支柱６も内側対向片６Ａ、外側対向片６Ｂ及び連結片６Ｃとから横断面略コ字状に形成してあり、開放面を後方に向けた状態で外側脚材３Ａと横枠２Ｃに溶接手段により固着してある。そして、前支柱４、４と後支柱６、６は上端を同じ高さに設定することにより、コンテナを水平に積重することができるようにしてある。
【００１５】
７、７は前記一対の後支柱６、６に横方向にスライド可能に設けた後可動ピンで、該各後可動ピン７は後支柱６の対向片６Ａ、６Ｂに挿通して設けてあり、先端側は内側対向片６Ａから横方向内向きに突出している。また、８、８は前支柱４と後支柱６に横方向にスライド可能に設けた横可動ピンで、該各横可動ピン８は支柱４、６の連結片４Ｃ、６Ｃに挿通して設けてあり、先端側は連結片４Ｃ、６Ｃから横方向内向きに突出している。
【００１６】
１１は一対の前支柱４、４間に前記一対の係止ピン５、５を介して回動可能、かつ係脱可能に軸支した開放用側部パネルを示す。該開放用側部パネル１１は、下枠材１１Ａ、上枠材１１Ｂ、左右一対の側枠材１１Ｃ、１１Ｃとから横長長方形の枠体に形成し、上、下の枠材１１Ａ、１１Ｂ間に３本の内側縦材１１Ｄ、１１Ｄ、１１Ｄを連結して構成してある。そして、前記下枠材１１Ａは下面を前半側の水平面１１Ａ１と後半側の上り傾斜面１１Ａ２からなる倒置「く」字状に形成してある。
【００１７】
１２は前記開放用側部パネル１１を係止ピン５、５に回動可能かつ係脱可能に連結するための係合部を示す。該係合部１２は開放用側部パネル１１の各側枠材１１Ｃの下端側前角隅を横方向に切欠いた横向きＬ字状穴に形成してあり、前側切欠きはピン出入溝１２Ａに、横側切欠きはピン係止溝１２Ｂになっている。
【００１８】
１３は開放用側部パネル１１に対向して一対の後支柱６、６に後可動ピン７、７を介して回動可能、かつ係脱可能に設けた後側部パネルを示す。該後側部パネル１３は前記開放用側部パネル１１と同様に下枠材１３Ａ、上枠材１３Ｂ、一対の側枠材１３Ｃ、１３Ｃとから横長長方形の枠体に形成したものからなり、各側枠材１３Ｃの外側面には可動ピン７が挿入されるピン穴（図示せず）が穿設してある。
【００１９】
また、１４、１４は前支柱４と後支柱６との間に軸支した左右一対の横側部パネルを示し、該各横側部パネル１４は下枠材１４Ａ、上枠材１４Ｂ、左右一対の側枠材１４Ｃ、１４Ｃ、上、下の枠材１４Ｂ、１４Ａ間に連結した縦材１４Ｄとから略正方形の枠体に形成したものからなり、側枠材１４Ｃ、１４Ｃの下端側には可動ピン８、８が挿入されるピン穴（図示せず）が穿設してある。
【００２０】
更に、１５は隣接する開放用側部パネル１１と横側部パネル１４、１４、後側部パネル１３と横側部パネル１４、１４を連結して四面の枠体を形成するための連結手段で、該連結手段１5は係合爪部を有し、各横側部パネル１4の側枠材１４Ｃ上端側に軸着した係合用レバー１６と、開放用側部パネル１１（後側部パネル１３）の側枠材１１Ｃ（１３Ｃ）の上端側に穿設され、前記係合爪部が出入する係止穴１７とから構成してある（図１参照）。そして、係合用レバー１６を所定方向に回動操作することにより、開放用側部パネル１１と横側部パネル１４同士、及び後側部パネル１３と横側部パネル１４同士を連結し、また解放させることができる。
【００２１】
更に、１８、１８はパレット本体２の前枠２Ａ上面に横方向に離間して固着したストッパーを示す。該各ストッパー１８は適宜の長さに裁断した丸棒鋼材からなるもので、開放用側部パネル１１の上り傾斜面１１Ａ２に対向する位置に溶接手段により固着してあり、開放用側部パネル１１が内側に後退した場合に傾斜面１１Ａに当接して該パネル１１が更に後退するのを阻止するものである。
【００２２】
また、１９、１９は各横側部パネル１４の上枠材１４Ｂから上方に突設した一対のずれ止め体で、該各ずれ止め体１９は積重するコンテナの外側脚材３Ａに形成してある図示しない係合穴に嵌合させることにより、収容物を収納した重量のあるコンテナを垂直状態に積重できるようにして安定性を確保するようにしてある。
【００２３】
なお、開放用側部パネル１１、後側部パネル１３及び横側部パネル１４には係着用ロッド２０を枠状に固着し、該係着用ロッド２０に合成樹脂製ネットを係着して各パネル１１、１３、１４を内側から全面的に覆うことにより、輸送時や保管時の収容物の損傷防止を図る構成にしてあるが、この構成は公知技術であって本願発明を構成する本質的部分ではないし、図が煩雑になるのでその図示および説明は省略してある。
【００２４】
本実施の形態からなる折畳み型コンテナは上述の構成からなるが、次にその操作について図７乃至図１０を参照しながら説明する。図７は開放用側部パネル１１をパレット部１上に立設した状態を示し、前支柱４、４に設けた係止ピン５に係合部１２を嵌合させた状態でパレット本体２上に起立させ、上部側で連結手段１５により横側部パネル１４に連結することにより枠体を構成している。
【００２５】
この状態で開放用側部パネル１１に収納物等によって内側から外方向に荷重Ｆが掛かった場合は、係止ピン５によって側枠材１１Ｃは外方向への変位が規制される。他方、開放用側部パネル１１に外側から内側に向けて外力Ｆが働いた場合は、図８に示すように、若干後退した開放用側部パネル１１は上り傾斜面１１Ａ２がストッパー１８に当接することにより、更なる後退が阻止されるから枠体の形態を保持することができる。
【００２６】
図９及び図１０は開放用側部パネル１１を折畳む手順を示し、開放用側部パネル１１は係合部１２を係止ピン５から一旦離脱させ、横に寝かせる姿勢にしながら係合部１２を係合ピン５に嵌合してパレット部１上に倒置することにより開放用側部パネル１１は折畳むことができる。そして、これらの操作は立った状態のままで行うことができるから、作業者の身体的負担は少ないし、ピン等を可動する操作は全く不要であるから容易に短時間で開放型側部パネル１１を折畳むことができる。
【００２７】
また、本実施の形態では、後側部パネル１３、横側部パネル１４は連結手段１５を解除することにより、可動ピン７、８を支点として内、外方向に約１８０度の範囲で展開することができる。また、可動ピン７、８を進退させることにより支柱６、６間から後側部パネル１３を、支柱４、６間から横側部パネル１４を離脱させることもできる。
【００２８】
このように開放用側部パネル１１、後側部パネル１３及び横側部パネル１４は回動可能、分離可能であるから、破損したパネルのみを交換することや、分解洗浄を効率よく行うことができる。従って、側部パネル１１、１３、１４のいずれかが損傷して交換が必要な場合も、コンテナを工場に持ち帰って交換作業を行う必要はなく、収納現場で短時間に交換作業を行うことが可能であり、本来の収納作業が阻害される影響も最小限にすることができる。
【００２９】
なお、本実施の形態において、４枚の側部パネルの少なくとも１枚の側部パネル１１（１３、１４）は、下部パネル体と上部パネル体の２分割に構成してヒンジにより回動可能に連結し、上部パネル体を外側に二つ折り可能に構成してもよい。
【００３０】
このように構成することにより、コンテナ内に収穫物を収納する作業を行う場合に、作業当初は上部パネル体を外側に二つ折りした状態にしておくことにより、作業者は腕を大きく上げたり、頻繁に立ち上がる動作をすることのない楽な動きで収納作業を行うことができるから、作業者の身体的負担を大幅に軽減することができるし、作業効率を上げることができる。そして、下部パネル体の上端まで収穫物を収納したら、上部パネル体を立ち上げて隣接する側部パネルに連結手段１５により連結することにより、コンテナの上端にまで収穫物を収納することができる。
【図面の簡単な説明】
【００３１】
【図１】図１は本発明の実施の形態に係る折畳み型コンテナの全体構成を示す斜視図である。
【図２】パレット部と支柱の斜視図である。
【図３】パレット部に前支柱を設けた部分斜視図である。
【図４】開放用側部パネルの部分拡大図である。
【図５】開放用側部パネルを後方から示す部分拡大図である。
【図６】開放用側部パネルを係止ピンに係合した状態を正面から示す要部説明図である。
【図７】開放用側部パネルを係止ピンに係合して立設した状態を示す説明図である。
【図８】開放用側部パネルがストッパに当接した状態を示す説明図である。
【図９】開放用側部パネルを係止ピンから離脱させた状態を示す説明図である。
【図１０】開放用側部パネルをパレット部上に倒置した状態の説明図である。
【図１１】折畳み型コンテナを折畳んだ状態の正面図である。
【符号の説明】
【００３２】
１          パレット部
４          前支柱
５          係止ピン
１１        開放用側部パネル
１１Ａ２    上り傾斜面
１２        係合部
１３、１４  側部パネル
１５        連結手段
１８        ストッパー
【図１】
2007099328.tif 000003
【図２】
2007099328.tif 000004
【図３】
2007099328.tif 000005
【図４】
2007099328.tif 000006
【図５】
2007099328.tif 000007
【図６】
2007099328.tif 000008
【図７】
2007099328.tif 000009
【図８】
2007099328.tif 000010
【図９】
2007099328.tif 000011
【図１０】
2007099328.tif 000012
【図１１】
2007099328.tif 000013